(57)【要約】【課題】  釘を使用しない構成で廃棄処分が容易であり、天板が交換可能で所望の長さに調整できるすのこを提供することである。【解決手段】  複数の略四角形状の天板２が互いに間隙をあけて並置される天板部３と、この天板部３の一の端部を固定する第１の固定部４と、天板部３の他の端部を固定する第２の固定部８を有するすのこであって、第１の固定部４は、天板部３の一の端部が嵌脱可能な複数の溝部が形成される第１の台脚部５と、この第１の台脚部５に載上される第１の蓋部６と、第１の台脚部５と第１の蓋部６を固定する固定部材７ａとを備え、第２の固定部８は、天板部３の他の端部が嵌脱可能な複数の溝部が形成される第２の台脚部９と、この第２の台脚部９に載上される第２の蓋部１０と、第２の台脚部９と第２の蓋部１０を固定する固定部材７ｂとを備えるものである。【選択図】  図１
2008101401.tif 000002
【特許請求の範囲】
【請求項１】
複数の略四角形状の天板が互いに間隙をあけて並置される天板部と、この天板部の一の端部を固定する第１の固定部と、前記天板部の他の端部を固定する第２の固定部を有するすのこであって、前記第１の固定部は、前記天板部の一の端部が嵌脱可能な複数の溝部が形成される第１の台脚部と、この第１の台脚部に載上される第１の蓋部と、前記第１の台脚部と前記第１の蓋部を固定する固定部材とを備え、前記第２の固定部は、前記天板部の他の端部が嵌脱可能な複数の溝部が形成される第２の台脚部と、この第２の台脚部に載上される第２の蓋部と、前記第２の台脚部と前記第２の蓋部を固定する固定部材とを備えることを特徴とするすのこ。
【請求項２】
前記天板部の略中央を固定する第３の固定部を有し、この第３の固定部は、前記天板部の略中央部が嵌脱可能な複数の溝部が形成されることを特徴とする請求項１記載のすのこ。
【請求項３】
前記天板部の一の側部又は両側部に配置され、前記第１の固定部と前記第２の固定部を連結する連結部材を備えることを特徴とする請求項１又は請求項２に記載のすのこ。
【請求項４】
前記第１の固定部及び／又は前記第２の固定部は少なくとも１の水抜き孔を備えることを特徴とする請求項１乃至請求項３のいずれか１項に記載のすのこ。
【請求項５】
前記第１の固定部乃至第３の固定部の少なくとも１の上面に複数の突起が形成されることを特徴とする請求項１乃至請求項４のいずれか１項に記載のすのこ。
【発明の詳細な説明】
【技術分野】
【０００１】
本発明は、風呂や土間、押入れあるいは建物間の渡り廊下等において使用するすのこに関し、特に、釘を用いない組立式のすのこに関する。
【背景技術】
【０００２】
一般に、すのこは、木板や竹等の木材を間隔をあけて複数並べて天板とし、台脚となる横板に固定されるものであり、通気性を良くする目的で、浴室や押入れ等において使用される。近年では、木材に代わってプラスチック材料を用いて釘を使用せずに作製されるものもあるが、木製のものでは、釘打ちによって作製されたものが主流であり、浴室や流し等の水場で使用すると、次第に釘の錆びが発生し、続いて錆びた釘の周囲の木材が腐食してゆき、天板の一部が抜け落ちたり、釘の頭部が突出したりするので安全面において問題を抱えている。また、不用となったすのこを処分する際には、金属製の釘と木製の天板や台脚を分別することが好ましいが、この分別作業は極めて煩雑なものであるといえる。さらに、市販のすのこでは数種類のサイズが展開されているものの、使用者の使用目的に適したサイズに調整することが困難であった。そこで、すのこやすのこに構造が似た運搬に用いられるパレットにおいて、安全性や利便性の向上を目的として様々な構造が考えられている。
【０００３】
例えば、特許文献１には、「風呂場用すのこ」という名称で、天板が腐り難く着脱可能な風呂場用すのこに関する考案が開示されている。
この特許文献１に開示された考案は、塩化ビニール被膜した鉄パイプから構成され底部に台を備える枠組みと、この枠組みに嵌脱可能なジョイントが設置された複数の天板とから構成されている。
そして、枠組みに天板のジョイントを嵌め込むことによってすのこが形成され、このすのこでは、天板と枠組みが接触しないので水に濡れた天板部分の乾きが早く、天板が腐り難くなっている。また、天板が着脱自在であるので、傷んだ天板のみを交換することができ、さらに、すのこを設置する床面の清掃では、すのこ全体を移動することなく、清掃箇所のみの天板を外すことによって簡単に行うことができる。また、枠組みの底部に設置される台によって床面との間に隙間が形成され水はけが良好になっている。
【０００４】
また、特許文献２には、「すのこ」という名称で、長さ方向のサイズの調整が可能なすのこに関する考案が開示されている。
この特許文献２に開示された考案は、複数の台脚と、この複数の台脚に直交するように配置され、長手方向の一端部又は両端部に嵌合部が形成される複数の天板から構成されている。
このすのこでは、天板の嵌合部において他のすのこと直列に連結することが可能であるので、長手方向のサイズを使用スペースに合わせて調整することができる。また、コンパクトな形態であるので輸送や店頭陳列において支障をきたさないという利点を有している。そして、すのこ同士の嵌合部分の下面に台脚を配置させることもでき、接合部においても荷重に耐えうる構造になっている。
【０００５】
そして、特許文献３には、「木製パレット及びその製造方法」という名称で、木質の軟らかい材料を用い、釘を使用しないで廃棄時のリサイクル処理を効率的に行うことができる木製パレット及びその製造方法に関する発明が開示されている。
この特許文献３に開示された発明は、並設される所有数のデッキ部材と、これらのデッキ部材を連結する連結部材とを備え、デッキ部材の下側には差込部が形成され、また、デッキ部材と連結部材の接合部には複数のダボ穴が刻設されてこれらのダボ穴にダボを接着してデッキ部材と連結部材を接合するものである。
デッキ部と連結部材のダボを用いた接合は、釘による接合に比べて接合部が緩んだり外れたりしにくく、接合部の強度が保持されるので、木質の軟らかいスギの間伐材を材料に使用することができる。また、従来品のように釘を用いていないので、廃材をリサイクル処理する場合に釘を除去する手間が省け、解体後の部材をそのままチッパーにかけて細片化でき効率的な作業となる。
【特許文献１】実開平６−７２４８７号公報
【特許文献２】実登３０２３１５１号公報
【特許文献３】特開２００２−３３２０４１号公報
【発明の開示】
【発明が解決しようとする課題】
【０００６】
しかしながら、特許文献１に記載された従来の技術では、傷んだ天板のみの交換が可能であるが、背面には枠体に嵌合するためのジョイントが設置されており、天板の廃棄時には、板材とジョイントに分別する必要があり、この分別作業は煩雑であるという課題があった。また、天板の大きさについては何ら言及されておらず、使用者が好みの大きさに調整することができないという課題もあった。
【０００７】
また、特許文献２に記載された従来の技術では、複数のすのこを組み合わせて長手方向の長さを変更しているが、変更できる長さはすのこのサイズに依存し、長さの設定においては厳密には細かい微調整を行うことができないという課題があった。
【０００８】
そして、特許文献３に記載された従来の技術では、確かに釘を使用しないので廃材時のリサイクル作業では釘を除去する作業が不要で効率的なものとなるが、パレットのサイズを変更したり、傷んだデッキ材のみを交換したりすることはできないという課題があった。
【０００９】
本発明はかかる従来の事情に対処してなされたものであり、釘を使用しない構成で廃棄処分が容易であり、天板が交換可能でしかも所望の長さに調整できるすのこを提供することを目的とする。
【課題を解決するための手段】
【００１０】
上記目的を達成するため、請求項１記載の発明であるすのこは、複数の略四角形状の天板が互いに間隙をあけて並置される天板部と、この天板部の一の端部を固定する第１の固定部と、天板部の他の端部を固定する第２の固定部を有するすのこであって、第１の固定部は、天板部の一の端部が嵌脱可能な複数の溝部が形成される第１の台脚部と、この第１の台脚部に載上される第１の蓋部と、第１の台脚部と第１の蓋部を固定する固定部材とを備え、第２の固定部は、天板部の他の端部が嵌脱可能な複数の溝部が形成される第２の台脚部と、この第２の台脚部に載上される第２の蓋部と、第２の台脚部と第２の蓋部を固定する固定部材とを備えるものである。
上記構成のすのこでは、第１の固定部は、天板部の一の端部を第１の台脚部の溝部に保持して第１の蓋部を被せて固定部材で固定し、第２の固定部は、天板部の他の端部を第２の台脚部の溝部に保持して第２の蓋部を被せて固定部材で固定するように作用し、また、第１の固定部及び第２の固定部は、敷設される床面と天板部との間に空間を形成するように作用する。そして、第１の固定部及び第２の固定部は、天板部の固定を解除することによって、天板部を構成する複数の天板を第１の固定部及び第２の固定部から離脱するように作用する。
【００１１】
また、請求項２に記載の発明であるすのこは、請求項１に記載のすのこにおいて、天板部の略中央を固定する第３の固定部を有し、この第３の固定部は、天板部の略中央部が嵌脱可能な複数の溝部が形成されるものである。
上記構成のすのこでは、請求項１に記載の発明の作用に加えて、第３の固定部は、天板部の略中央を固定するという作用を有し、また、第３の固定部の固定を解除すると、複数の天板は第３の固定部から離脱されるという作用を有する。
【００１２】
そして、請求項３に記載の発明であるすのこは、請求項１又は請求項２記載のすのこにおいて、天板部の一の側部又は両側部に配置され、第１の固定部と第２の固定部を連結する連結部材を備えるものである。
上記構成のすのこでは、請求項１又は請求項２記載の発明の作用に加えて、連結部材は、第１の固定部と第２の固定部を連結して第１の固定部と第２の固定部による天板部の固定を補強するように作用する。
【００１３】
さらに、請求項４に記載の発明であるすのこは、請求項１乃至請求項３のいずれか１項に記載のすのこにおいて、第１の固定部及び／又は第２の固定部は少なくとも１の水抜き孔を備えるものである。
上記構成のすのこでは、請求項１乃至請求項３のいずれか１項に記載の発明の作用に加えて、第１の固定部及び／又は第２の固定部に設置される水抜き孔は、第１の固定部及び／又は第２の固定部に貯留する水を外部に放出するという作用を有する。
【００１４】
最後に、請求項５に記載の発明であるすのこは、請求項１乃至請求項４のいずれか１項に記載のすのこにおいて、第１の固定部乃至第３の固定部の少なくとも１の上面に複数の突起が形成されるものである。
上記構成のすのこでは、請求項１乃至請求項４のいずれか１項に記載の発明の作用に加えて、第１の固定部乃至第３の固定部の少なくとも１の上面に形成される突起は、使用者の滑りを防止するとともに、裸足で使用する場合には、接触する足裏等を刺激するように作用する。
【発明の効果】
【００１５】
本発明の請求項１記載のすのこでは、天板部の両端を第１の固定部及び第２の固定部で固定する構造であり、従来品のように釘打ちによる固定でないので、釘の頭出しによる危険性がなく、また、釘の周囲から進行しやすい天板の腐食を防止することができる。そして、天板部を構成する複数の天板は、第１の固定部及び第２の固定部の固定を解除することによって簡単に取り外すことができるので、傷んだ天板のみを交換することができ、省力的で耐久性のあるすのこを実現できる。さらに、天板の長さは自在に変更することができるので、使用目的に応じて長さ調整を行うことができる。
【００１６】
また、本発明の請求項２に記載のすのこでは、天板部の略中央に第３の固定部を設けているので、天板部の中央部分に負荷がかかっても天板部が損傷することなく、荷重に耐えうる構造になっている。特に、天板部が長い場合には、すのこを設置する地面などの平面に対して天板部が接触することも防止可能であり、設置面に接触することによる天板部の破損や腐食などを防止することも可能である。
【００１７】
そして、本発明の請求項３に記載のすのこでは、連結部材が第１の固定部と第２の固定部を連結しているので、天板部の両端部が第１の固定部と第２の固定部から容易に抜脱しないようになっている。
【００１８】
さらに、本発明の請求項４に記載のすのこでは、第１の固定部及び／又は第２の固定部に設置される水抜き孔は、第１の固定部及び／又は第２の固定部に貯留しやすい水を外部に放出し、天板部、第１の固定部及び第２の固定部の腐食を防止することができる。
【００１９】
最後に、本発明の請求項５に記載のすのこでは、第１の固定部乃至第３の固定部の少なくとも１の上面に形成される突起によって、滑りを防止すると共に、裸足の場合においては足裏等において容易にマッサージ効果を得ることができる。
【発明を実施するための最良の形態】
【００２０】
以下に、本発明に係るすのこの最良の実施の形態を図１乃至図５に基づき説明する。
図１は、本発明の本実施の形態に係るすのこの概念図である。
図１において、本実施の形態に係るすのこ１は、主に、天板部３と、第１の固定部４と、第２の固定部８から構成されており、天板部３は、図中では両端の２枚の天板２のみを記載しているが、一部記載を省略するものであり、実際は複数の天板２が互いに間隔をあけて並置されて形成されている。また、第１の固定部４は、第１の台脚５と第１の蓋６を備え、天板部３の一の端部を第１の台脚５と第１の蓋６で挟み込み側部にビス７ａを螺合して天板部３の一の端部を固定している。
一方、第２の固定部８も、第１の固定部４と同様に、第２の台脚９と第２の蓋１０を備え、天板部３の他の端部を第２の台脚９と第２の蓋１０で挟み込み側部にビス７ｂを螺合して天板部３の他の端部を固定している。
なお、すのこ１の材質は特に限定されないが、木材やプラスチック等合成樹脂が挙げられる。
【００２１】
すのこ１では、天板部３の下方に第１の固定部４及び第２の固定部８の第１の台脚５及び第２の台脚９が配置されて、すのこ１を敷設する床面と天板部３との間に空間を設け、天板部３が床面に接触することで破損や腐食の促進を防止しつつ、天板部３の天板２同士の隙間とともに、すのこ１の水はけや通気性を良好にしている。
また、すのこ１は、従来の主に木製のすのこのように釘を用いて天板と台脚を固定していないので、釘の頭出しによる危険がなく安全性の高いものになっている。そして、通常、木製の場合、天板２は、釘の周囲から腐食しやすいが、釘を使用しないことから、天板２の耐久性を向上させることができる。さらに、不用となったすのこ１を廃棄する場合には、釘と天板２等の木材を分別する必要が無いので、処分が簡単で、また、リサイクルしやすい構成になっている。
【００２２】
そして、すのこ１では、ビス７ａ，ビス７ｂを抜脱すると、第１の固定部４及び第２の固定部８による天板部３の固定は解除され、天板部３を構成する複数の天板２は、第１の固定部４及び第２の固定部８から取り外すことが可能になっている。
したがって、すのこ１では、いずれかの天板２が腐ったり傷んだりした場合には、その天板２のみを取り外し、新品の天板２を新たに設置して、一部のみを交換したすのこ１を継続して使用することが可能となり、一体型のすのこの場合の全体廃棄に比べると廃棄物の量が著しく低減され、また、すのこ１の全体的な使用寿命を延ばすので省資源、省エネルギー志向であるといえる。
また、すのこ１は各部品に分解できるので、コンパクトとなり、商品として店頭に陳列したり搬送したりする際に有利である。
そして、天板２の長さは特に限定されないので、使用目的に応じて、例えば、木製の場合は切断したりして自由に設定したり調整したりすることができる。
【００２３】
また、すのこ１において、天板部３の中央部分には、第３の固定部１１が設置されており、第３の固定部１１は、第３の台脚１２と第３の蓋１３を備え、第３の台脚１２と第３の蓋１３の間に天板部３の中央部分を挟み込んで側部にビス７ｃを螺合して天板部３の中央部分を固定している。この第３の固定部１１は、前述の第１の固定部４及び第２の固定部８と同様に、天板部３を固定する役割に加えて、天板部３の中央部分にかかる荷重を受け止め、天板部３が撓んだり破損したりするのを防止している。なお、天板部３の長手方向の長さが短く、天板部３に加わる荷重が第１の固定部４及び第２の固定部８に分散される場合は、第３の固定部１１は必ずしも設置しなくてもよい。
そして、すのこ１の一の側部には連結部材１４が配置されており、ビス用孔１５ａ〜１５ｃにそれぞれビス７ａ〜７ｃが螺合されて第１の固定部４、第２の固定部８及び第３の固定部１１に固定されている。連結部材１４は、第１の固定部４と第２の固定部８を連結して、第１の固定部４及び第２の固定部８の天板部３の固定を補助し、天板部３を構成する複数の天板２が第１の固定部４及び第２の固定部８から抜脱するのを防止することができる。したがって、図示するように、必ずしも連結部材１４を第３の固定部１１へ固定しなくてもよい。なお、図示していないが、連結部材１４は、すのこ１の他の側部に設置してもよく、すのこ１の両側部に設置することによって第１の固定部４及び第２の固定部８の天板部３への固定を確実にすることができる。
【００２４】
さらに、第１の固定部４、第２の固定部８及び第３の固定部１１の上面には、それぞれ突起１６〜１８が設置されており、これらの突起により使用者の滑りを防止することができる。また、風呂場等において裸足の使用者はこれらの突起１６、突起１７及び突起１８の上で足踏みすることによって突起１６、突起１７及び突起１８は使用者の足裏を刺激し、高いマッサージ効果を得ることができる。
これらの突起１６〜１８は、すべての固定部に設けなくともよいが、なるべく多くの固定部に設ける方が効果が高いことは言うまでもない。
さらに、固定部のみならず、天板２を合成樹脂などの材料で構成する場合には、その上面に突起を設けてもよい。このように天板２（天板部３）にも突起を設けることで、すのこ全体において滑り止めの効果を発揮できるし、また、マッサージ効果もすのこ全体で発揮することができる。
【００２５】
次に、第１の固定部及び第２の固定部の構造について図２及び図３を用いて詳細に説明する。なお、図２及び図３において、図１に記載されたものと同一部分については同一符号を付し、その構成についての説明は省略する。
図２（ａ）は、本実施の形態に係るすのこの第１の固定部の固定を解除した状態を示す概念図であり、（ｂ）は同じくすのこの第１の固定部の概念図である。
図２（ａ）において、第１の固定部４では、第１の台脚５に、図示しない回動軸で枢設された第１の蓋６が、その一辺を第１の台脚５に接した状態で開蓋されている。なお、第１の蓋６は必ずしも第１の台脚５に枢設される必要はなく、例えば蝶番のようなもので開蓋可能に設けられてもよいし、連設されることなく第１の台脚５に着脱可能に設置することもできる。
第１の固定部４の内部をみると、第１の台脚５には、複数の溝１９が形成されており、これらの溝１９には、一部を図示するが、天板２の一の端部を嵌脱自在に嵌合できるようになっている。なお、溝１９の設置数は特に限定されず、天板２の設置数に応じて形成することができる。
また、天板２の一の端部が当接する第１の台脚５の背板の部分には、溝１９毎に水抜き孔２０が複数形成されており、第１の固定部４の内部に貯留する水を外部に放出することが可能である。これらの水抜き孔２０の設置場所及び設置数は特に限定されないが、水が貯留しやすい天板２と第１の固定部４とが接する部分に設けると、天板２と第１の固定部４の水はけが良好となり、水による腐食の進行を防止することができる。
そして、第１の台脚５及び第１の蓋６の両端部には、ビス用孔２１ａ，２１ｂ及びビス用孔２２ａ，２２ｂが形成されており、ビスを螺合して天板２を固定できるようになっている。
【００２６】
ここで、図２（ｂ）において、天板２の一の端部を第１の台脚５と第１の蓋６で挟持して、連結部材１４を介してビス７ａを螺合すると、天板２の一の端部は、第１の台脚５と第１の蓋６に挟持されて第１の固定部４から抜脱することなく確実に固定される。なお、本実施の形態では、第１の固定部４の側部にビス用孔を設けてビス７ａを螺合する構成であるが、第１の固定部４の上面からビス７ａを螺合するように構成してもよい。第１の固定部４の上面でビス７ａを螺合すると、第１の台脚５と第１の蓋６によって上下方向からさらに強固に挟持することができるので、天板２の交換によって生じる可能性のある天板２の寸法や厚みの不揃いを緩和することができる。
ビス７ａは、連結部材１４を固定すると同時に、第１の固定部４と第１の台脚５をも固定することが可能であり、少ない部品で廃棄時の容易性を考慮しながら、使用時の強度も配慮した構成となっている。
【００２７】
次に、図３（ａ）は、本実施の形態に係るすのこの第２の固定部の固定を解除した状態を示す概念図であり、（ｂ）は同じくすのこの第２の固定部の概念図である。
まず、図３（ａ）において、第２の固定部８は、第２の台脚９と第２の蓋１０が分離した状態を示している。第２の台脚９には、複数の溝２４が形成されており、これらの溝２４には天板２の他の端部が嵌脱可能に嵌合できる。また、第１の固定部の場合と同様に、天板２が当接する第２の台脚９の背面の部分には、溝２４毎に水抜き孔２３が複数設置されており、これらの水抜き孔２３からは溝２４などに貯留する水を外部に放出できる。なお、溝２４は天板２の設置数に応じて設けるとよく、また、水抜き孔２３については、設置場所及び設置数は特に限定されない。
また、第２の台脚９の底部には切欠部２７が形成されており、この切欠部２７は敷設する床面との間に隙間を形成し、水はけを良好にするとともに、第２の台脚９の底部を通気させて乾燥させ、水による腐食を防止することができる。
なお、図２においては図示していないが、第１の固定部４の第１の台脚５の底部にも同様に切欠部が形成されている。
そして、第２の蓋１０は、第２の台脚９に載上してビス７ｂをビス用孔２５ａ及びビス用孔２６ａに螺合すると、溝２４に嵌合された天板２の他の端部を上下方向から挟持して固定することができる。なお、第２の蓋１０は、第２の台脚９に離脱可能にしてもよいが、図２において説明した第１の固定部４のように第２の台脚９に枢設することもできる。
【００２８】
続いて、図３（ｂ）に示すように、第２の台脚９に第２の蓋１０を載上して側部においてビス７ｂで螺合すると、図示していないが、天板の他の端部は強固に固定されるので、天板の他の端部は第２の固定部８から抜脱できない。なお、ビス７による螺合は第２の固定部８の上面から行うこともでき、この場合、第２の台脚９と第２の蓋１０はより強固に挟持されるので、複数の天板において寸法や厚みに多少の相違があっても天板は抜脱することなく固定することができる。
【００２９】
次に、第３の固定部について図４を用いて説明する。
図４（ａ）は、本実施の形態に係るすのこの第３の固定部を分解して示す概念図であり、（ｂ）は同じくすのこの第３の固定部の概念図であり、（ｃ）は同じくすのこの第３の固定部の断面を示す概念図である。
図４（ａ）において、第３の固定部１１は、第３の台脚１２と第３の蓋１３から構成されており、第３の台脚１２には、天板の中央部分が嵌合可能な複数の溝２８と、ビスが螺合されるビス用孔２９ａ，２９ｂと、切欠部３１が設けられている。切欠部３１を設けることで、第３の台脚１２の底部の全面が床面に接触することを防止して、底部の水はけを良好にすることができる。
また、第３の蓋１３は、緩やかな蒲鉾形状で、両側部には、第３の台脚１２のビス用孔２９ａ，２９ｂに重なるようにビス用孔３０ａ，３０ｂが形成されている。
そして、図４（ｂ）に示すように、天板２を第３の台脚１２の溝２８に嵌合させて第３の蓋１３を載上してビス７ｃを螺合すると、天板２は固定されて天板２の長手方向の移動が抑制される。このように第３の固定部１１は天板２の中央部分を固定するとともに、天板部の中央部にかかる荷重を受け止めて天板２が折れたり曲がったりすることを防止している。また、第３の蓋１３は緩やかな蒲鉾形状であるので、使用者はつまずき難く、上面の突起１８による足裏のマッサージが効果的に行える。
また、図４（ｃ）において、第３の台脚１２の底部と床面３２には切欠部３１による隙間が形成されており、この隙間によって水はけが良好となり、また、第３の台脚１２の底部は全体が水浸しになることなく、通気も確保されているので水による腐食を防止することが可能になっている。
【００３０】
次に、連結部材について図５を用いて説明する。
図５は、本実施の形態に係るすのこの連結部材の概念図である。
図５において、連結部材１４は、長細い板状で、両端部はいずれもＬ字型に折曲され、ビス用孔１５ａ〜１５ｃが設けられている。連結部材１４は、図示していないが、すのこの両側部又は一の側部に配置されて、ビス用孔１５ａ〜１５ｃを第１の固定部、第２の固定部及び第３の固定部に設けられるビス用孔にそれぞれ合わせてビス７ａ〜７ｃで螺合することによって、第１の固定部、第２の固定部及び第３の固定部に固定される。ここで、連結部材１４は、ビス７ａ〜７ｃによる螺合を解除すると、第１の固定部、第２の固定部及び第３の固定部から容易に離脱される。
そして、連結部材１４は、前述の通り、第１の固定部４、第２の固定部８及び第３の固定部１１による天板の固定を強化し、天板がすのこの長手方向に移動することを防止することができる。なお、連結部材１４の材質は特に限定されるものではない。また、本実施の形態では、連結部材１４の両端は折曲した形状であるが、連結部材１４の形状は、第１の固定部と第２の固定部を連結可能な形状であればどのような形状でもよい。
【００３１】
最後に、図６を参照しながら、他の連結部材について説明する。
図６（ａ）〜（ｃ）は、いずれも本実施の形態に係るすのこの他の連結部材の概念図である。これらの図において図３及び図４と同一部分については同一符号を付し、その構成については説明を省略する。図６（ａ）において、連結部材は、凸部３４を備える係止片３３と、孔部３６を備える係止片３５から構成され、これらは、それぞれ第３の台脚１２の側面に設けられているものである。
係止片３３の凸部３４は、係止片３５の孔部３６に嵌合され、第３の台脚９同士をその側面で連結するものである。
図６（ａ）では、台脚のみを図示しているが、もちろん、溝２８に天板３を備えた状態ですのこ同士として連結するものである。
図６（ｂ）は、第２の台脚９の側面に設けられた連結部材で、凸部３８を備える係止片３７と、孔部４０を備える係止片３９から構成されている。
本図においては、第１の台脚５の側面に設けられる連結部材が図示されていないが、図示を省略するもので、第１の台脚５の側面にも図６（ａ）や（ｂ）に示される連結部材が備えられている。
また、本実施の形態では、台脚の一側面にのみ連結部材が設けられているが、両方の側面にそれぞれ凸部３４を備えた係止片３３、孔部３６を備えた係止片３５のように互いの異なる連結部材の係止片を備えることで、複数のすのこを連結することが可能となる。
もちろん、すべての第１、第２、第３のすべての台脚に設けなくとも連結の強度を保つことができれば、少なくとも一箇所に連結部材を設けるようにしてもよい。
さらに、図６（ｃ）のように、連結部材を構成する凸部４２を備える係止片４１と孔部４４を備える係止片４３を、台脚の下面側に、それぞれ上下方向でずらして設けることで、台脚同士の側面を密着させて連結することができる。
【００３２】
このように構成された本実施の形態においては、天板を簡単に取り外すことができるので、傷んだ天板のみを交換することによってすのこ全体の使用寿命を長くして省資源化に貢献するとともに廃棄物を低減することができる。
また、天板の長さは如何様にも設定できるので、使用目的に応じて自由に調整することができる。
さらに、釘を使用しない構成であるので、釘抜き作業が不要となり廃棄処分が容易であり、また、従来品に比べて安全性が高く、耐久性も向上している。
【産業上の利用可能性】
【００３３】
以上説明したように、本発明の請求項１乃至請求項５に記載された発明は、安全且つ使用勝手が極めて良好なすのこを提供可能であり、一般家庭を始め各種施設等において利用可能である。
【図面の簡単な説明】
【００３４】
【図１】本発明の本実施の形態に係るすのこの概念図である。
【図２】（ａ）は本実施の形態に係るすのこの第１の固定部の固定を解除した状態を示す概念図であり、（ｂ）は同じくすのこの第１の固定部の概念図である。
【図３】（ａ）は本実施の形態に係るすのこの第２の固定部の固定を解除した状態を示す概念図であり、（ｂ）は同じくすのこの第２の固定部の概念図である。
【図４】（ａ）は本実施の形態に係るすのこの第３の固定部を分解して示す概念図であり、（ｂ）は同じくすのこの第３の固定部の概念図であり、（ｃ）は同じくすのこの第３の固定部の断面を示す概念図である。
【図５】本実施の形態に係るすのこの連結部材の概念図である。
【図６】（ａ）〜（ｃ）のいずれも本実施の形態に係るすのこの連結部材の概念図である。
【符号の説明】
【００３５】
１…すのこ  ２…天板  ３…天板部  ４…第１の固定部  ５…第１の台脚  ６…第１の蓋  ７ａ〜７ｃ…ビス  ８…第２の固定部  ９…第２の台脚  １０…第２の蓋  １１…第３の固定部  １２…第３の台脚  １３…第３の蓋  １４…連結部材  １５ａ〜１５ｃ…ビス用孔  １６…突起  １７…突起  １８…突起  １９…溝  ２０…水抜き孔  ２１ａ，２１ｂ…ビス用孔  ２２ａ，２２ｂ…ビス用孔  ２３…水抜き孔  ２４…溝  ２５ａ，２５ｂ…ビス用孔  ２６ａ，２６ｂ…ビス用孔  ２７…切欠部  ２８…溝  ２９ａ，２９ｂ…ビス用孔  ３０ａ，３０ｂ…ビス用孔  ３１…切欠部  ３２…床面  ３３…係止片  ３４…凸部  ３５…係止片  ３６…孔部  ３７…係止片  ３８…凸部  ３９…係止片  ４０…孔部  ４１…係止片  ４２…凸部  ４３…係止片  ４４…孔部
【図１】
2008101401.tif 000003
【図２】
2008101401.tif 000004
【図３】
2008101401.tif 000005
【図４】
2008101401.tif 000006
【図５】
2008101401.tif 000007
【図６】
2008101401.tif 000008